(57)【要約】  本発明は、プレゼンス基盤の電話システム及びそのシステムにおける呼ルーティング方法に係る。この電話システムは電話サービス加入者のプレゼンスを管理するプレゼンスサーバーを含めて、加入者に着信する呼をプレゼンスサーバーに設定された加入者のプレゼンス情報により加入者の有／無線電話端末機またはＶｏＩＰゲートウェーを通して接続されたＶｏＩＰ端末機のうちの一つにルーティングすることを特徴とする。本発明によると、インターネットに連結された自分のＶｏＩＰ端末機を使って、空間の制約を受けずに、自由に既に自分が加入した有無線電話番号に宛てられた電話を受けられる。また、有線電話サービスまたは移動電話サービス加入時に、高価な電話機を購入しなくても、インターネットに連結されたＶｏＩＰ端末機さえあれば、別途の通信機器がなくても、同じように有無線電話サービスを利用することができる。
2007520152.tif 000002
【特許請求の範囲】
【請求項１】
プレゼンス基盤の電話システムにおいて、
有／無線電話端末機器に対する電話連結サービスを提供する有／無線電話システム；
前記有／無線電話システムとインターネットの間に連結されてＶｏＩＰ端末機に対する電話連結サービスを提供するＶｏＩＰゲートウェー；及び
前記有／無線電話システム、ＶｏＩＰゲートウェー及びＶｏＩＰ端末機に接続されて前記有／無線電話サービス加入者のプレゼンスを管理するプレゼンスサーバー
を含み、
前記有／無線電話システムは、前記加入者に着信する呼を前記プレゼンスサーバーに設定された加入者のプレゼンス情報に基づいて前記加入者の有／無線電話端末機または前記ＶｏＩＰゲートウェーを通して接続されたＶｏＩＰ端末機のうち、何れか一つにルーティングすることを特徴とするプレゼンス基盤の電話システム。
【請求項２】
前記無線電話システムは、
無線電話端末機に対する無線電話サービスを提供する基地局装置；
前記基地局装置またはＶｏＩＰゲートウェーを通して接続される電話端末機群に対する電話連結を管理する交換機；及び
前記交換機及びプレゼンスサーバーに接続され、着信加入者情報、加入者別付加サービス情報及び着信端末機の位置情報を保存管理し、前記プレゼンスサーバーから提供する加入者のプレゼンス情報に基づいて、前記加入者が管理されている交換機の位置と加入者情報を前記交換機に提供するホーム位置登録器
を含むことを特徴とする請求項１に記載のプレゼンス基盤の電話システム。
【請求項３】
前記有線電話システムは、
有線電話端末機に対する有線電話サービスを提供するＳＳＰ；
前記ＳＳＰまたはＶｏＩＰゲートウェーを通して接続される有線端末機群に対する電話信号を伝達するＳＴＰ；及び
前記ＳＴＰ及びプレゼンスサーバーに接続され、着信加入者情報、加入者別付加サービス情報及び着信端末機の位置情報を保存管理し、前記プレゼンスサーバーから提供する加入者のプレゼンス情報に基づいて、前記加入者が管理されているＳＳＰの位置と加入者情報を前記ＳＳＰに提供するＳＣＰ
を含むことを特徴とする請求項１に記載のプレゼンス基盤の電話システム。
【請求項４】
前記プレゼンスサーバーは、前記加入者の電話番号に対する呼が優先的にルーティングされる装置情報である優先順位装置情報を含むことを特徴とする請求項１乃至請求項３のうち、何れか一つに記載のプレゼンス基盤の電話システム。
【請求項５】
前記プレゼンス情報は、前記ＶｏＩＰ端末機から呼が発信される場合、前記呼を発信したＶｏＩＰ端末機が前記発信呼の着信装置を決定に用いられることを特徴とする請求項４に記載のプレゼンス基盤の電話システム。
【請求項６】
前記プレゼンス情報は、前記ＶｏＩＰ端末機を通して、自動または手動で前記プレゼンスサーバーで変更されることを特徴とする請求項４に記載のプレゼンス基盤の電話システム。
【請求項７】
前記プレゼンス情報は、前記有／無線電話端末機を通して、自動または手動で前記プレゼンスサーバーで変更されることを特徴とする請求項４に記載のプレゼンス基盤の電話システム。
【請求項８】
前記プレゼンスサーバーは、前記ＶｏＩＰ端末機とＩＭＰＰを通して接続されることを特徴とする請求項４に記載のプレゼンス基盤の電話システム。
【請求項９】
プレゼンス基盤の電話システムで呼をルーティングする方法において、
ａ）有／無線電話端末機から発信された呼を受信する段階；
ｂ）前記受信された発信呼を着信する加入者のプレゼンス情報を獲得する段階；及び
ｃ）前記獲得されたプレゼンス情報により前記着信加入者の有／無線電話端末機またはＶｏＩＰ端末機のうち、一つに前記発信呼をルーティングする段階
を含むことを特徴とするプレゼンス基盤の電話システムにおける呼ルーティング方法。
【請求項１０】
前記受信された発信呼が無線電話端末機から発信された場合、
前記ｂ）段階は、
ｉ）前記発信端末機と呼が連結された交換機が前記発信呼を着信する加入者情報をホーム位置登録器に要請する段階；
ｉｉ）前記ホーム位置登録器が前記着信加入者に対するプレゼンス情報を保存しているプレゼンスサーバーから当該プレゼンス情報を受ける段階；及び
ｉｉｉ）前記ホーム位置登録器が前記着信加入者のプレゼンス情報に基づいて前記発信呼を着信する装置関連情報を前記交換機に伝達する段階
を含むことを特徴とする請求項９に記載のプレゼンス基盤の電話システムにおける呼ルーティング方法。
【請求項１１】
前記ｃ）段階は、
前記ｉｉｉ）段階において前記着信加入者のプレゼンス情報に基づいて前記発信呼を着信する装置が前記加入者の無線電話端末機であると確認される場合、前記無線電話端末機の交換機を通して、前記発信呼を前記着信加入者の無線電話端末機にルーティングする
ことを特徴とする請求項１０に記載のプレゼンス基盤の電話システムにおける呼ルーティング方法。
【請求項１２】
前記ｃ）段階は、
前記ｉｉｉ）段階において前記着信加入者のプレゼンス情報に応じて前記発信呼を着信する装置が前記加入者のＶｏＩＰ端末機であると確認される場合、前記ＶｏＩＰ端末機に接続されたＶｏＩＰゲートウェーを通して、前記発信呼を前記着信加入者のＶｏＩＰ端末機にルーティングすることを特徴とする請求項１０に記載のプレゼンス基盤の電話システムにおける呼ルーティング方法。
【請求項１３】
プレゼンス基盤の電話システムで呼をルーティングする方法において、
ａ）ＶｏＩＰ端末機から着信加入者に対するプレゼンス情報要請を受信する段階；
ｂ）前記要請された着信加入者に対するプレゼンス情報を前記ＶｏＩＰ端末機に提供する段階；
ｃ）前記ＶｏＩＰ端末機から発信された呼を受信する段階；及び
ｄ）前記受信された発信呼を着信する装置情報に応じて前記着信加入者の有／無線電話端末機またはＶｏＩＰ端末機のうち、何れか一つに前記発信呼をルーティングする段階
を含むことを特徴とするプレゼンス基盤の電話システムにおける呼ルーティング方法。
【請求項１４】
前記ｄ）段階で、前記着信装置が無線電話端末機の場合、
前記ＶｏＩＰ端末機と呼が連結された交換機が、前記着信加入者情報をホーム位置登録器に要請する段階；
前記ホーム位置登録器が前記着信加入者に対する情報を前記ＶｏＩＰ端末機と呼が連結された交換機に伝達する段階；及び
前記ＶｏＩＰ端末機と呼が連結された交換機が前記着信加入者情報により確認された前記着信装置側交換機を通して、前記発信呼を前記着信加入者の無線電話端末機にルーティングする段階
を含むことを特徴とする請求項１３に記載のプレゼンス基盤の電話システムにおける呼ルーティング方法。
【請求項１５】
前記ｄ）段階で、前記着信装置が第２のＶｏＩＰ端末機の場合、
ＶｏＩＰゲートウェーを通して、前記受信された発信呼を前記第２のＶｏＩＰ端末機にルーティングすることを特徴とする請求項１３に記載のプレゼンス基盤の電話システムにおける呼ルーティング方法。
【請求項１６】
前記プレゼンス情報は、加入者のプレゼンス情報を保存するプレゼンスサーバーに、前記加入者が自分のＶｏＩＰ端末機を使ってログインする過程で前記プレゼンスサーバーに登録されることを特徴とする請求項９乃至請求項１５のうち、何れか一つに記載のプレゼンス基盤の電話システムにおける呼ルーティング方法。
【請求項１７】
前記プレゼンス情報には前記加入者に対して呼が優先的にルーティングされる装置情報である優先順位装置情報が含まれたことを特徴とする請求項１６に記載のプレゼンス基盤の電話システムにおける呼ルーティング方法。
【請求項１８】
前記プレゼンス情報は、
前記無線電話端末機ユーザーのＶｏＩＰ端末機が駆動される場合、前記ＶｏＩＰ端末機によって、自動的に変更されることを特徴とする請求項１６に記載のプレゼンス基盤の電話システムにおける呼ルーティング方法。
【請求項１９】
前記プレゼンス情報は、
前記ＶｏＩＰ端末機内に設定された初期時間値やユーザーによって設定された自動転換時間の間に前記ＶｏＩＰ端末機を通した反応がない場合、前記ＶｏＩＰ端末機によって、自動的に変更されることを特徴とする請求項１６に記載のプレゼンス基盤の電話システムにおける呼ルーティング方法。
【請求項２０】
前記プレゼンス情報は、
前記無線電話端末機の基地局を通して感知された前記無線電話端末機の位置が現在使用中のＶｏＩＰ端末機使用地域を離れたことを感知された場合、前記無線電話端末機のホーム位置登録器によって自動的に変更されることを特徴とする請求項１６に記載のプレゼンス基盤の電話システムにおける呼ルーティング方法。
【請求項２１】
前記プレゼンス情報は、
前記ユーザーのＶｏＩＰ端末機を通して、手動で変更できることを特徴とする請求項１６に記載のプレゼンス基盤の電話システムにおける呼ルーティング方法。
【請求項２２】
前記プレゼンス情報は、
有／無線電話を利用して接続可能なＡＲＳを通して要請される場合、前記ユーザーのホーム位置登録器によって変更されることを特徴とする請求項１６に記載のプレゼンス基盤の電話システムにおける呼ルーティング方法。
【請求項２３】
前記プレゼンス情報は、
プレゼンス情報変更のためのＶＭ（Ｖｉｒｔｕａｌ  Ｍａｃｈｉｎｅ）アプリケーションがダウンロードされ駆動される場合、望む設定に変更できることを特徴とする請求項１６に記載のプレゼンス基盤の電話システムにおける呼ルーティング方法。
【請求項２４】
前記プレゼンス情報は、
前記無線電話端末機を用いた無線インターネットを通して、望む設定に変更できることを特徴とする請求項１６に記載のプレゼンス基盤の電話システムにおける呼ルーティング方法。
【請求項２５】
前記プレゼンス情報は、
前記無線電話端末機を用いたＳＭＳ送信を通して、望む設定に変更できることを特徴とする請求項１６に記載のプレゼンス基盤の電話システムにおける呼ルーティング方法。
【請求項２６】
前記プレゼンス情報は、
プレゼンス情報を設定可能な専用ＩＰホンを利用して、望む設定に変更できることを特徴とする請求項１６に記載のプレゼンス基盤の電話システムにおける呼ルーティング方法。
【請求項２７】
前記プレゼンス情報は、
呼ルーティング機能を内蔵した無線電話端末機を利用して、望む設定に変更できることを特徴とする請求項１６に記載のプレゼンス基盤の電話システムにおける呼ルーティング方法。
【発明の詳細な説明】
【技術分野】
【０００１】
本発明はプレゼンス（Ｐｒｅｓｅｎｃｅ）基盤の電話システムに係り、より具体的には有／無線電話番号に宛てられた呼をＶｏＩＰ端末機を使って受けられるようにするプレゼンス基盤の電話システム及びそのシステムにおける呼ルーティング方法に関する。
【背景技術】
【０００２】
最近、インターネットの普及と共にＩＰ網を活用するインターネット電話（ＶｏＩＰ：Ｖｏｉｃｅ  ｏｖｅｒ  Ｉｎｔｅｒｎｅｔ  Ｐｒｏｔｏｃｏｌ）の使用が大幅に増加している。このようなインターネット電話は、インターネット電話用端末機、例えばコンピュータに設けられた専用プログラムを通して、既存の有無線網との電話ができる。しかし、このようなインターネット電話には、電話番号が与えられていないため、現状では電話を受けることができない深刻な問題点がある。
【０００３】
このような問題を解決するために、インターネット電話のための別途の番号付与システムにより番号を与えようとするのが現在世界的な傾向である。
【０００４】
一方、最近、その使用が急速に広がっているインターネットメッセンジャーは、３ＧＰＰのＩＭＰＰ（Ｉｎｓｔａｎｔ  Ｍｅｓｓａｇｉｎｇ  ＆  Ｐｒｅｓｅｎｃｅ  Ｐｒｏｔｏｃｏｌ）を使って、インターネットに連結するコンピュータ同士で簡単なテキスト情報を即時にやりとりするシステムである。このために、メッセンジャーシステムはユーザーの現在状態であるプレゼンスを管理するが、ユーザーのプレゼンス情報にはオンライン、オフライン、離席、多忙などがある。このようなプレゼンスは自分を仲間に設定しておいた他人の仲間リストに展示されて、相手側がいつメッセージを送ることができるのが分かるようする。
【０００５】
しかし、このようなインターネットメッセンジャーシステムにおけるＩＭＰＰは、コンピュータ間のメッセージ交換サービスだけを提供し、前記インターネット電話または有無線網での電話サービスと協力した多様なサービスを提供することができない。
【０００６】
一方、前記プレゼンス関連の従来技術として、特許文献１（株式会社ケーティー）には“統合プレゼンスサービスシステム及び方法”が開示されており、有／無線インターネットの異種通信網上の同一加入者に対してその加入者の各通信網別接続のプレゼンスを統合管理することを特徴としている。しかし、この技術では各通信網別接続のプレゼンスを統合して管理しているだけで、呼ルーティングのためのプレゼンスの使用については開示していない。
【０００７】
また、特許文献２（エスケイテレコム株式会社）には“移動通信パケット網におけるＳＩＰを利用したプレゼンスサービス提供方法”が開示されており、移動通信パケット網でＳＩＰ（Ｓｅｓｓｉｏｎ  Ｉｎｉｔｉａｔｉｏｎ  Ｐｒｏｔｏｃｏｌ）を利用して、プレゼンスサービスを提供することを特徴としている。しかし、この技術でもＳＩＰを利用して、プレゼンスサービスを提供しているだけで、呼ルーティングのためのプレゼンスの使用については開示していない。
【０００８】
また、特許文献３（個人：コ・ジェリャン）には“移動通信システムにおけるインターネット呼着信転換サービスを提供するための装置及び方法”が開示されており、移動通信加入者が自分の番号にかかってきた電話を携帯電話機端末装置でないインターネット上でソフトホン（Ｓｏｆｔ  ｐｈｏｎｅ）やインターネット電話端末（ＩＰ  Ｐｈｏｎｅ）を通して、着信転換通話ができることを特徴としている。しかし、この技術でも呼ルーティングのためのプレゼンスの使用については開示していない。
【特許文献１】韓国公開特許公報第２００３-９０４２１号
【特許文献２】韓国公開特許公報第２００３-５８５５７号
【特許文献３】韓国公開特許公報第２００３-６８１０５号
【発明の開示】
【発明が解決しようとする課題】
【０００９】
従って、本発明の技術的課題は、前記問題を解決しようとするもので、インターネットメッセンジャーのＩＭＰＰで使用されているプレゼンス概念を利用して、既存の有無線通信電話番号をそのまま利用して、インターネット電話使用を可能にするプレゼンス基盤の電話システム及びその制御方法を提供することである。
【課題を解決するための手段】
【００１０】
前記課題を達成するための本発明の一つの特徴によるプレゼンス基盤の電話システムは、有／無線電話端末機に対する電話連結サービスを提供する有／無線電話システム；前記有／無線電話システムとインターネットの間に連結されてＶｏＩＰ端末機に対する電話連結サービスを提供するＶｏＩＰゲートウェー；及び前記有／無線電話システム、ＶｏＩＰゲートウェー及びＶｏＩＰ端末機に接続されて前記有／無線電話サービス加入者のプレゼンスを管理するプレゼンスサーバーを含み、前記有／無線電話システムは前記加入者に着信する呼を前記プレゼンスサーバーに設定された加入者のプレゼンス情報により、前記加入者の有／無線電話端末機または前記ＶｏＩＰゲートウェーを通して接続されたＶｏＩＰ端末機のうち、何れか一つにルーティング（ｒｏｕｔｉｎｇ）することを特徴とする。
【００１１】
本発明の他の特徴によるプレゼンス基盤の電話システムにおける呼ルーティング方法は、ａ）有／無線電話端末機から発信された呼を受信する段階；ｂ）前記受信された発信呼を着信する加入者のプレゼンス情報を獲得する段階；及びｃ）前記獲得されたプレゼンス情報により前記着信加入者の有／無線電話端末機またはＶｏＩＰ端末機のうち、何れか一つに前記発信呼をルーティングする段階を含む。
【発明を実施するための最良の形態】
【００１２】
以下、添付図を参照して本発明の実施例によるプレゼンス基盤の電話システムについて詳細に説明する。
図１は、本発明の実施例によるプレゼンス基盤の電話システムのブロック図である。
図１に示したように、本発明の実施例によるプレゼンス基盤の電話システムは、基地局装置（Ｂａｓｅ  Ｓｔａｔｉｏｎ：ＢＳ）１０、１１、交換機（Ｍｏｂｉｌｅ  Ｓｗｉｔｃｈｉｎｇ  Ｃｅｎｔｅｒ：ＭＳＣ）２０、２１、２２、ホーム位置登録器（Ｈｏｍｅ  Ｌｏｃａｔｉｏｎ  Ｒｅｇｉｓｔｅｒ：ＨＬＲ）３０、プレゼンスサーバー（Ｐｒｅｓｅｎｃｅ  Ｓｅｒｖｅｒ）４０及びＶｏＩＰゲートウェー（ＧＷ）５０を含む。
【００１３】
基地局装置１０、１１は、移動端末機（Ｍｏｂｉｌｅ  Ｓｔａｔｉｏｎ：ＭＳ）Ｍ１、Ｍ２に対する移動通信サービスを提供し、移動端末機Ｍ１、Ｍ２と移動網間のインターフェースの役割を果たす基地局（Ｂａｓｅ  Ｔｒａｎｓｃｅｉｖｅｒ  Ｓｔａｔｉｏｎ：ＢＴＳ）１０-１、１０-２と、基地局１０-１、１０-２を管理しながら、パワー信号、周波数、呼ハンドオーバーなどを管理する基地局制御器（Ｂａｓｅ‐Ｓｔａｔｉｏｎ‐Ｃｏｎｔｒｏｌｌｅｒｌｅｒ：ＢＳＣ）１０-３を含む。
【００１４】
交換機２０、２１、２２は、基地局装置１０、１１やＶｏＩＰゲートウェー５０を通して、接続される電話端末機群に対する電話の連結を管理する装置で、連結経路を設定及び解除、管理する機能を行う。
【００１５】
ホーム位置登録器３０は、交換機２０、２１に接続されて着信加入者情報、加入者別付加サービス情報及び着信端末機の位置情報を保存管理する。このようなホーム位置登録器３０は、前記情報群を保存するデータベースに、サービスの種類とホーム交換機のＩＤ情報も有する。本発明の実施例によるホーム位置登録器３０は、既存のホーム位置登録器とは異なって、加入者が管理されている交換機の位置と加入者情報を加入者のプレゼンス情報に基づいてＶｏＩＰ端末機Ｖ１、Ｖ２を通したＶｏＩＰを使用している場合と、そうでない場合を区分する情報を交換機２０、２１に伝達して、ＶｏＩＰを使用中の場合には着信呼がＶｏＩＰ端末機Ｖ１、Ｖ２に連結されるようにする。この時、ホーム位置登録器３０はプレゼンスサーバー４０に保存された加入者別プレゼンス情報を使ってＶｏＩＰ使用の可否を判断する。
【００１６】
このようなホーム位置登録器３０は、ＥＳＮ（Ｅｌｅｃｔｒｏｎｉｃ  Ｓｅｒｉａｌ  Ｎｕｍｂｅｒ）、ＭＩＮ（Ｍｏｂｉｌｅ  Ｉｄｅｎｔｉｆｉａｃｔｉｏｎ  Ｎｕｍｂｅｒ）、ホーム交換機ＩＤ、その他加入者情報などのデータを保存する。ここで、ＥＳＮは、端末機の識別番号として、例えば整数型のデータでもよく、ＭＩＮは加入者電話番号として、例えば整数型のデータの場合もあり、ホーム交換機ＩＤは加入者がサービスに加入したところで最も近い位置にある交換機のＩＤに加入者の位置を最も速く探す交換機のＩＤとして、例えば整数型のデータの場合もあり、その他加入者情報はその他加入者のサービスの種類などでホーム位置登録器の一般的な情報であり、例えば複合型のデータでありうる。
【００１７】
一方、プレゼンスサーバー４０は加入者のプレゼンスを管理するサーバーに顧客の状態（オフライン、オンライン、離席、食事中などの状態）、アドレス、優先順位装置（Ｐｒｅｆｅｒｒｅｄ  Ｄｅｖｉｃｅ）情報などを管理する。
【００１８】
このようなプレゼンスサーバー４０は、具体的にユーザーＩＤ、移動電話番号、状態情報、接近アドレス、交換機ＩＤ、優先順位装置情報などの資料を保存する。ここで、ユーザーＩＤは、ユーザーを区分する識別子として文字列型のデータの場合もあって、移動電話番号は呼伝達のための移動端末機の電話番号として整数型のデータの場合もあり、状態情報はオンライン、オフライン、忙しさなどのＶｏＩＰ端末機の状態を示す情報として、例えば、整数型のデータの場合もあって、接近アドレスはＶｏＩＰ端末機に接近できるＩＰアドレス及びポート番号情報として、例えば整数型のデータの場合もあり、交換機ＩＤはＶｏＩＰ端末機が接続されている交換機のＩＤとして整数型のデータの場合もあって、優先順位装置情報は呼をまず受けられる装置、つまり、ＶｏＩＰ端末機や移動端末機を示す情報として、例えば整数型のデータでありうる。ここで優先順位装置情報にＶｏＩＰ端末機（Ｖ１、Ｖ２）が登録されていると、着信または発信呼を登録されたＶｏＩＰ端末機（Ｖ１、Ｖ２）に連結して、移動端末機（Ｍ１、Ｍ２）が登録されていると、着信または発信呼を登録された移動端末機（Ｍ１、Ｍ２）に連結する。
【００１９】
一方、プレゼンスサーバー４０は、ホーム位置登録器３０から移動端末機（Ｍ１、Ｍ２）に対する優先順位情報の質問がある場合、当該移動端末機（Ｍ１、Ｍ２）の電話番号に対する優先順位装置情報をホーム位置登録器３０に伝達すると同時に、優先順位装置においてＶｏＩＰ端末機（Ｖ１、Ｖ２）が設定されていると、当該ＶｏＩＰ端末機（Ｖ１、Ｖ２）が嵌合されている交換機のＩＤと当該ＶｏＩＰ端末機（Ｖ１、Ｖ２）に接近できるＩＰアドレス及びポット番号と共に伝達する。
【００２０】
ＶｏＩＰゲートウェー５０は、インターネットに接続されたＶｏＩＰ端末機（Ｖ１、Ｖ２）が、ＰＬＭＮ（Ｐｕｂｌｉｃ  Ｌａｎｄ  Ｍｏｂｉｌｅ  Ｎｅｔｗｏｒｋ）／ＰＳＴＮ（Ｐｕｂｌｉｃ‐Ｓｗｉｔｃｈｅｄ‐Ｔｅｌｅｐｈｏｎｅ‐ｐｈｏｎｅ  Ｎｅｔｗｏｒｋ）と連動して、インターネットを通して電話の送受信ができるような機能を提供する。
【００２１】
この時、ＶｏＩＰ端末機（Ｖ１、Ｖ２）は、ＶｏＩＰゲートウェー５０を通して、インターネットを通して電話を送受信できる装置またはプログラムのことで、ソフトホンやＩＰホンなどがある。ソフトホンはＰＣ、ＰＤＡ、移動端末機などでインタ−ネットホンをソフトウェア上で実現したプログラムであり、ＩＰホンはソフトホンのプログラム機能を内蔵しながら、ハードウェアー面から見ると電話機構造を有するインターネット電話専用機器である。このようなＶｏＩＰ端末機（Ｖ１、Ｖ２）を通して、ログインする時、マッピングさせる電話番号を入力して、当該番号に着信する呼をＶｏＩＰ端末機（Ｖ１、Ｖ２）で受けることができる。この時、入力される電話番号はプレゼンスサーバー４０に伝えられ、保存される。
【００２２】
以下、添付図を参照して本発明の実施例によるプレゼンス基盤の電話システムにおける呼ルーティング方法について詳細に説明する。
図２は、本発明の実施例によるプレゼンス基盤の電話システムで移動端末機（Ｍ１）からの発信呼をＶｏＩＰ端末機（Ｖ１）に連結する過程を概略的に示した図である。
図２を参照すれば、まず、移動端末機（Ｍ２）の加入者がＶｏＩＰ端末機（Ｖ１）を使用する場合、移動端末機（Ｍ２）の電話番号に対してＶｏＩＰ端末機（Ｖ１）が優先順位装置情報としてプレゼンスサーバー４０に自動または手動で設定される（○１＝図面中、１を○で囲んだものを本文中では○１と称する。以下、図面中で数字ｎを○で囲んだものを、本文中では○ｎと称する）。この時、優先順位装置情報設定については後から説明する。
【００２３】
次に、移動端末機（Ｍ１）が移動端末機（Ｍ２）に電話をかけると、まず、移動端末機（Ｍ１）が現在在圏している交換機２０と移動端末機（Ｍ１）の間に基地局１０-１と基地局制御器１０-３を通して、呼が設定される（○２）。
【００２４】
その後、交換機２０が移動端末機（Ｍ２）の位置を分かるため、ホーム位置登録器３０に移動端末機（Ｍ２）が現在在圏している交換機の位置を要請すると、ホーム位置登録器３０はプレゼンスサーバー４０を通して、発信移動端末機（Ｍ１）の電話番号に対する優先順位装置情報とＶｏＩＰ端末機（Ｖ１）が在圏している交換機２１の情報及びＶｏＩＰ端末機（Ｖ１）に接近できるＩＰアドレス及びポート番号の伝達を受けて、交換機２０に伝達する（○３）。
【００２５】
次に、交換機２０はホーム位置登録器３０から伝えられる交換機２１の情報とＶｏＩＰ端末機（Ｖ１）関連情報を利用して、交換機２１及びＶｏＩＰゲートウェー５０を通してＶｏＩＰ端末機（Ｖ１）に着信呼を連結して、結果、移動端末機（Ｍ１）からの着信呼を加入者が現在使用中のＶｏＩＰ端末機（Ｖ１）に連結して、移動端末機（Ｍ１）とＶｏＩＰ端末機（Ｖ１）の間に通話が行われるようにする（○４）。
【００２６】
従って、加入者はプレゼンスに基づいて自分の有無線電話番号に宛てられた電話をＶｏＩＰ端末機（Ｖ１）を使って受けることができる。
【００２７】
図３は、本発明の実施例によるプレゼンス基盤の電話システムでＶｏＩＰ端末機（Ｖ１）からの発信呼を移動端末機（Ｍ１）に連結する過程を概略的に示した図である。
図３を参照して説明する前に、まず、現在プレゼンスサーバー４０には移動端末機（Ｍ１）の電話番号に対して優先順位装置情報として移動端末機（Ｍ１）が設定されていると仮定する。この場合、プレゼンスサーバー４０で移動端末機の電話番号に対する優先順位装置は基本的に当該移動端末機が設定されることにしても良い。
【００２８】
このような仮定の下に、ＶｏＩＰ端末機（Ｖ１）ユーザーが移動端末機（Ｍ１）に電話をかけると、ＶｏＩＰ端末機（Ｖ１）はプレゼンスサーバー４０を通して、着信移動端末機（Ｍ１）の電話番号に対する優先順位装置情報を受けて、着信移動端末機（Ｍ１）の電話番号に対する優先順位装置が移動端末機（Ｍ１）であることを確認する（○１’＝図面中、１を○で囲んだものに  ’を付したもの。以下、図面中、数字ｎを○で囲んだものに  ’を付したものを、本文中では○ｎ’と称する。）。
【００２９】
次に、ＶｏＩＰ端末機（Ｖ１）は移動端末機（Ｍ１）との連結のためにＶｏＩＰゲートウェー５０を通してＶｏＩＰ端末機（Ｖ１）が現在在圏している交換機２１に呼を設定する（○２’）。
【００３０】
その後、交換機２１は移動端末機（Ｍ１）の位置を分かるために、ホーム位置登録器３０に移動端末機（Ｍ１）が現在在圏している交換機の位置を要請すると、ホーム位置登録器３０は移動端末機（Ｍ１）が在圏している交換機２０情報を交換機２１に提供する（○３’）。この時、ホーム位置登録器３０は交換機の位置情報を要請する発信呼がＶｏＩＰ端末機の場合には、既にＶｏＩＰ端末機でプレゼンスサーバー４０を通して、優先順位装置情報が参照されたため、この過程ではプレゼンスサーバー４０を通して、優先順位装置情報を参照しないと説明したが、ホーム位置登録器３０の設計を簡単にするために交換機の位置情報要請時ホーム位置登録器３０は当該電話番号に対応する優先順位装置情報を無条件にプレゼンスサーバー４０を通して伝達してもらって用いても良い。
【００３１】
次に、交換機２１はホーム位置登録器３０から伝えられる交換機２０情報を使って、交換機２０、基地局制御器１０-３及び基地局１０-１を通して、移動端末機（Ｍ１）に着信呼を連結して、結果的にＶｏＩＰ端末機（Ｖ１）からの着信呼を加入者の移動端末機（Ｍ１）に連結してＶｏＩＰ端末機（Ｖ１）と移動端末機（Ｍ１）の間に通話ができるようにする（○４’）。
【００３２】
従って、加入者はプレゼンスに基づいてＶｏＩＰ端末機（Ｖ１）を有して移動端末機（Ｍ１）に電話をかけることができる。
【００３３】
図４は、本発明の実施例によるプレゼンス基盤の電話システムにおいて移動端末機（Ｍ１）からの発信呼を移動端末機（Ｍ２）に連結する過程を概略的に示した図である。
図４を参照すると、まず、移動端末機（Ｍ２）の加入者がＶｏＩＰ端末機（Ｖ１）を使うことによってプレゼンスサーバー４０に優先順位装置としてＶｏＩＰ端末機（Ｖ１）に設定されている場合、移動端末機（Ｍ２）のユーザーがＶｏＩＰ端末機（Ｖ１）の使用を中止して再び移動端末機（Ｍ２）を使う時、ユーザーは移動端末機（Ｍ２）の電話番号に対する優先順位装置として移動端末機（Ｍ２）をプレゼンスサーバー４０に自動または手動で設定する（○１”＝図面中、１を○で囲んだものに  ”を付したもの。以下、図面中、数字ｎを○で囲んだものに  ”を付したものを、本文中では○ｎ”と称する。）。
【００３４】
次に、移動端末機（Ｍ１）が移動端末機（Ｍ２）に電話をかけると、まず、移動端末機（Ｍ１）が現在在圏している交換機２０と移動端末機（Ｍ１）の間に基地局１０-１と基地局制御器１０-３を通して、呼が設定される（○２”）。
【００３５】
その後、交換機２０が移動端末機（Ｍ２）の位置を分かるために、ホーム位置登録器３０に移動端末機（Ｍ２）が現在在圏している交換機の位置を要請すると、ホーム位置登録器３０はプレゼンスサーバー４０を通して、発信移動端末機（Ｍ２）の電話番号に対する優先順位装置情報をもらって、優先順位装置で移動端末機（Ｍ２）が設定されているので移動端末機（Ｍ２）が在圏している交換機２２情報を交換機２０に提供する（○３”）。
【００３６】
次に、交換機２０はホーム位置登録器３０からもらった交換機２２の情報を利用して、交換機２２及び基地局装置１１を通して、移動端末機（Ｍ２）に着信呼を連結して、結果的に移動端末機（Ｍ１）からの着信呼を加入者が現在使用中の移動端末機（Ｍ２）に連結して、移動端末機（Ｍ１）と移動端末機（Ｍ２）の間に通話が行われるようにする（○４”）。
【００３７】
従って、加入者はプレゼンスに基づいて宛てられた電話を移動端末機（Ｍ２）を使って受けられる。
【００３８】
図５は、本発明の実施例によるプレゼンス基盤の電話システムにおいてＶｏＩＰ端末機（Ｖ１）からの発信呼をＶｏＩＰ端末機（Ｖ２）に連結する過程を概略的に示した図である。
図５を参照すると、まず、移動端末機（Ｍ１）の加入者がＶｏＩＰ端末機（Ｖ２）を使用する場合、ＶｏＩＰ端末機（Ｖ２）で移動端末機（Ｍ１）の電話番号に対してＶｏＩＰ端末機（Ｖ２）を優先順位装置としてプレゼンスサーバー４０に自動または手動で設定する（○１’’’＝図面中、１を○で囲んだものに  ’’’を付したもの。以下、図面中、数字ｎを○で囲んだものに  ’’’を付したものを、本文中では○ｎ’’’と称する。）。
【００３９】
次に、ＶｏＩＰ端末機（Ｖ１）のユーザーが移動端末機（Ｍ１）に電話をかけると、ＶｏＩＰ端末機（Ｖ１）はプレゼンスサーバー４０を通して、着信移動端末機（Ｍ１）の電話番号に対する優先順位装置情報を伝達されて、着信移動端末機（Ｍ１）の電話番号に対する優先順位装置がＶｏＩＰ端末機（Ｖ２）であることを確認する（○２’’’）。
【００４０】
その後、ＶｏＩＰ端末機（Ｖ１）はＶｏＩＰゲートウェー５０を通してＶｏＩＰシステム内部でＶｏＩＰ端末機（Ｖ２）と連結して、通話を行う（○３’’’）。
【００４１】
この場合には移動端末機（Ｍ１、Ｍ２）ユーザーが全てＶｏＩＰ端末機（Ｖ１、Ｖ２）を使っているため、ＰＬＭＮ／ＰＳＴＮ網での連結せずにＶｏＩＰシステム内でプレゼンスに基づいて有無線電話番号を通して着発信を行うことができる。
【００４２】
前記のように、図２乃至図５を参照して本発明の実施例によるプレゼンス基盤の電話システムにおける移動端末機（Ｍ１、Ｍ２）、またはＶｏＩＰ端末機（Ｖ１、Ｖ２）を利用して電話をかけたり受けたりする過程について説明し、本発明の実施例で基本的に呼ルーティングはホーム位置登録器３０で加入者情報を提供することによって行われ、例外的にＶｏＩＰ端末機（Ｖ１、Ｖ２）からの発信呼をＶｏＩＰ端末機（Ｖ１、Ｖ２）にルーティングする場合にだけ、ホーム位置登録器３０を通せずにＶｏＩＰシステム内だけでルーティングが行われる。このような基本的なルーティング過程でホーム位置登録器３０が加入者情報を提供する時、プレゼンスサーバー４０に関連情報、つまり、優先順位装置情報などを要請して、呼を加入者の移動端末機（Ｍ１、Ｍ２）にルーティングするか、またはＶｏＩＰ端末機（Ｖ１、Ｖ２）にルーティングするのかを決める。
【００４３】
このような基本的なルーティングを実現するためには、次の四種の過程を要する。
第１は、移動端末機（Ｍ１、Ｍ２）加入者がＶｏＩＰ端末機（Ｖ１、Ｖ２）を使用するために、ＶｏＩＰ端末機（Ｖ１、Ｖ２）からプレゼンスサーバー４０にログインする過程において、プレゼンスサーバー４０にＶｏＩＰ端末機（Ｖ１、Ｖ２）を登録する過程である。この時までは、プレゼンスサーバー４０に移動端末機（Ｍ１、Ｍ２）の電話番号に対応する優先順位装置が移動端末機（Ｍ１、Ｍ２）として設定されているため、移動端末機（Ｍ１、Ｍ２）とＶｏＩＰ端末機（Ｖ１、Ｖ２）が全て使用中であるが、優先順位装置設定により呼ルーティングは移動端末機（Ｍ１、Ｍ２）に行われる。
【００４４】
第２は、ＶｏＩＰ端末機（Ｖ１、Ｖ２）を優先順位装置として設定する過程であって、移動端末機（Ｍ１、Ｍ２）加入者がどの装置で呼がルーティングされるようにするのかを決める過程である。ここでＶｏＩＰ端末機（Ｖ１、Ｖ２）を優先順位装置として設定する場合、移動端末機（Ｍ１、Ｍ２）の電話番号として何らかの呼を対応するＶｏＩＰ端末機（Ｖ１、Ｖ２）にフォワーディング（ｆｏｒｗａｒｄｉｎｇ）することができる。
【００４５】
第３は、実際に呼フォワーディングが行われる過程であって、発信者の呼要求を発信者側交換機に受けて、着信者の位置把握のためにホーム位置登録器３０に情報を要請して、ホーム位置登録器３０からはプレゼンスサーバー４０に設定された優先順位装置により情報を提供して、呼が優先順位装置として設定された端末機にフォワーディングされるようにする。
【００４６】
最後に、ＶｏＩＰ端末機（Ｖ１、Ｖ２）使用終了時、登録解除を行って、再び移動端末機（Ｍ１、Ｍ２）に呼をルーティングすることができるようにする過程である。
【００４７】
以下、図面を参照して、前記四種の過程について詳細に説明する。
図６は、本発明の実施例によるプレゼンス基盤の電話システムにおけるプレゼンス登録及び更新過程を概略的に示した図である。
図６を参照すると、ユーザーがＶｏＩＰ端末機（Ｖ１、Ｖ２）を通して、プレゼンスサーバー４０にログインして自分の状態を登録し、優先順位装置を設定する過程が示されている。
【００４８】
まず、登録過程を示すｒｅｇｉｓｔｅｒ（）は、ＶｏＩＰ端末機（Ｖ１、Ｖ２）の情報、例えばＩＤ、電話番号、パスワード、接続アドレスなどの情報をプレゼンスサーバー４０に伝達して、プレゼンス情報を登録する過程であって、この過程によりＶｏＩＰ端末機（Ｖ１、Ｖ２）の状態がオンライン状態となる。ここでオンライン状態になるということは呼を受けることが可能な状態になることを意味するが、実際にはこのような状態では優先順位が低いため、移動端末機（Ｍ１、Ｖ２）がオンラインの場合、移動端末機（Ｍ１、Ｍ２）に呼が伝えられる。
【００４９】
次に、優先順位装置設定過程を示すＳｅｔ  Ｐｒｅｆｅｒｒｅｄ  Ｄｅｖｉｃｅ（）は、加入者が電話を受けようとする優先順位が最も高い装置がＶｏＩＰ端末機（Ｖ１、Ｖ２）であることをプレゼンスサーバー４０に伝達して、優先順位装置情報を更新する過程である。この過程を経て、ＶｏＩＰ端末機（Ｖ１、Ｖ２）が最も高い優先順位になって呼が着信者の移動端末機（Ｍ１、Ｍ２）ではなくＶｏＩＰ端末機（Ｖ１、Ｖ２）に伝達できる。
【００５０】
図７は、本発明の実施例によるプレゼンス基盤の電話システムにおけるプレゼンスにより、呼をフォワーディングする過程を概略的に示した図である。
図７を参照すると、実際に呼が入った時、ホーム位置登録器３０とプレゼンスサーバー４０、そして交換機２０、２１、２２の間でプレゼンスに基づいて呼がフォワーディングされる過程が示されている。
【００５１】
まず、着信者の位置を要請する過程を示すＧｅｔＬｏｃａｔｉｏｎ（）は、発信者側交換機２０、２１、２２がホーム位置登録器３０に着信者の位置を要請する過程である。
【００５２】
次に、呼がフォワーディングされる装置情報を伝達される過程を示すＦｅｔｃｈ  Ｐｒｅｓｅｎｃｅ（）は、優先順位装置情報とそれと関連したその他情報、例えば優先順位装置がＶｏＩＰ端末機（Ｖ１、Ｖ２）の場合、当該ＶｏＩＰ端末機（Ｖ１、Ｖ２）が受け継いでいる交換機情報及びＶｏＩＰ端末機（Ｖ１、Ｖ２）に接近できるＩＰアドレス及びポート番号などを、ホーム位置登録器３０がプレゼンスサーバー４０に要請して伝達してもらう過程である。
【００５３】
次に、呼をフォワーディングする過程を示すＰａｓｓ  Ｃａｌｌ（）は、ホーム位置登録器３０から着信者の位置情報を伝達してもらった交換機が着信者の優先順位装置として呼をフォワーディングする。
【００５４】
図８は、本発明の実施例によるプレゼンス基盤の電話システムにおけるプレゼンス登録解除過程を概略的に示した図である。
図８を参照すると、ユーザーがＶｏＩＰ端末機（Ｖ１、Ｖ２）の使用を終了するためにＶｏＩＰ端末機（Ｖ１、Ｖ２）でプレゼンスサーバー４０に登録解除を示すＵｎｒｅｇｉｓｔｅｒ（）の要請を伝達すると、この後からは図７を参照して説明したように、ホーム位置登録器３０からプレゼンスサーバー４０にＦｅｔｃｈ  Ｐｒｅｓｅｎｃｅ（）を要請する場合、優先順位装置が移動端末機（Ｍ１、Ｍ２）になるため、呼が移動端末機（Ｍ１、Ｍ２）にフォワーディングされる。
【００５５】
以下、加入者のプレゼンスを変更する多様な方法について説明する。このようなプレゼンスを変更する場合、設定及びその他の状況に基づいて自動的に変更する方法と加入者が手動で変更する方法がある。
【００５６】
まず、自動的に変更する方法について説明する。
第１は、ＶｏＩＰ端末機のログイン時に自動切換する方法で、移動端末機（Ｍ１、Ｍ２）や有線電話を利用するユーザーが、ＶｏＩＰ端末機のログイン時に自動的にＶｏＩＰ端末機を用いることができるプレゼンスに変更される方法である。
【００５７】
具体的には、まず、既存の有無線電話の利用中のユーザーがＶｏＩＰ端末機を駆動させる場合、ユーザーは認証過程によりＶｏＩＰ端末機利用権限を付与される。このように、認証が成功すると、プレゼンスサーバー４０で自動的にＶｏＩＰ端末機に呼ルーティングができるようにプレゼンスを変更させる。この後、加入した当該ＶｏＩＰ端末機で呼を受信または発信することができる。
【００５８】
第２は、ユーザーが設定した期間内に反応がない場合に自動切換する方法で、ユーザーが特定した初期時間値または設定した時間の間ＶｏＩＰ端末機の操作を通した反応、例えばコンピュータのマウス及びキーボードまたは周辺入力機器を通した反応がない場合、当該ＶｏＩＰ端末機が加入した有無線電話に自動的に転換される方法である。
【００５９】
具体的には、まず、ユーザーがＶｏＩＰ端末機の自動プレゼンス転換機能の設定を活性化して自動転換時間を入力すると、特定の初期時間値やユーザーが入力した自動転換時間内にＶｏＩＰ端末機の操作を通した反応がない場合、ＶｏＩＰ端末機はプレゼンスサーバー４０にプレゼンス変更を要請する。従って、プレゼンスサーバー４０はプレゼンス変更を要請したＶｏＩＰ端末機が認証されたことを確認して当該ユーザーのプレゼンスを有無線電話に自動的に転換させて、以後、加入した当該有無線電話で呼を受信できるようにする。
【００６０】
第３方法は、位置確認システムを活用したプレゼンス自動変換方法で、基地局を通して、移動端末機の位置を確認する位置確認システムを活用して、移動端末機がＶｏＩＰ端末機使用地域を離れる場合、自動的に移動端末機に着信できるようにプレゼンスを変更する方法である。
【００６１】
具体的には、まず、ユーザーがＶｏＩＰ端末機を使っている間移動端末機を携帯して特別な設定を行わずにＶｏＩＰ端末機の使用地域から他地域に移動する場合、基地局がユーザーの移動端末機の移動を感知し、交換機がホーム位置登録器３０に当該移動端末機の位置情報を登録させる時、当該ユーザーのプレゼンス変更を要請すると、ホーム位置登録器３０がプレゼンスサーバー４０と交信して、当該ユーザーのプレゼンスを変更して、以降加入された当該有無線電話に呼を受信できるようにする。
【００６２】
次に、手動で変更する方法について説明する。
第１方法は、ＶｏＩＰ端末機環境でユーザーが直接手動切換する方法で、ＶｏＩＰ端末機環境でユーザーが自分のプレゼンス情報を変更できる機能を提供して、ユーザーが直接手動で変換する方法である。
【００６３】
具体的には、まず、ユーザーがＶｏＩＰ端末機を使用する途中‘有無線電話に受信’機能を活性化すると、ＶｏＩＰ端末機がプレゼンスサーバー４０に有無線電話に呼ルーティングができるようにプレゼンス変更要請をして、以降加入された有無線電話に呼を受信できる。
【００６４】
第２方法は、ＡＲＳ（Ａｕｔｏｍａｔｉｃ  Ｒｅｓｐｏｎｓｅ  Ｓｙｓｔｅｍ）を活用して変更する方法で、自分のプレゼンスを設定できるＡＲＳを提供し、有無線電話を利用してＡＲＳに接続して、メニュー番号を選択する方式を持って、プレゼンスを切換する方法である。
【００６５】
具体的には、まず、プレゼンスを変更しようとするユーザーが有無線電話を利用して、割り当てられたＡＲＳ番号に接続した後、ＡＲＳの案内によりプレゼンスを変更するメニューを選択する。その後、望む設定をすると交換機が当該設定によるプレゼンス変更をホーム位置登録器３０に要請して、ホーム位置登録器３０はプレゼンスサーバー４０との交信を通して、プレゼンスを確認した後、条件に合う場合、加入された有無線電話に呼ルーティングができるようにプレゼンスを変更させる。以降加入された当該有無線電話に呼を受信できる。
【００６６】
第３方法は、移動端末機のＶＭ（Ｖｉｒｔｕａｌ  Ｍａｃｈｉｎｅ）アプリケーションを活用して変更する方法で、移動端末機にダウンロードして持っていたプレゼンス変更用ＶＭアプリケーションを駆動してプレゼンスを変更する方法である。
【００６７】
具体的には、まず、移動端末機ユーザーが移動端末機を通して、プレゼンス変更のためのＶＭアプリケーションを受信方法によりダウンロードした後、当該ＶＭアプリケーションを駆動させる。その後、望む設定をするとプレゼンスサーバー４０が設定されたプレゼンスを確認した後、条件に合う場合、加入された有無線電話に呼ルーティングができるようにプレゼンスを変更させる。以降加入された当該有無線電話に呼を受信できる。
【００６８】
第４方法は、無線インターネットを利用して、プレゼンスを変更する方法で、ユーザーが自分のプレゼンスを設定できる無線インターネットに接続して、プレゼンスを変更する方法である。
【００６９】
具体的には、まず、ユーザーが移動端末機を通して、無線インターネットに接続した後、プレゼンスを変更するためのメニューを選択する。その後、望む設定をするとプレゼンスサーバー４０が設定されたプレゼンスを確認した後、条件に合う場合、加入された有無線電話に呼ルーティングができるようにプレゼンスを変更させる。以降加入された当該有無線電話に呼を受信できる。
【００７０】
第５方法は、ＳＭＳ（Ｓｈｏｒｔ  Ｍｅｓｓａｇｅ  Ｓｅｒｖｉｃｅ）送信を通して、プレゼンスを変更する方法で、移動端末機を通して、特定のサービス電話番号にＳＭＳを伝送して、プレゼンスを変更する方法である。この時メッセージ内容に関係なく処理するのが望ましい。
【００７１】
具体的には、まず、ユーザーが移動端末機を利用して、割り当てられた番号に自分の現在状態説明を記入したＳＭＳを伝送する。ＳＭＳを受信したシステムは交換機に当該プレゼンス変更を要請して、交換機は当該設定に応じたプレゼンス変更をホーム位置登録器３０に要請しながら、ホーム位置登録器３０はプレゼンスサーバー４０との交信を通して、プレゼンスを確認した後、条件に合う場合、加入された有無線電話に呼ルーティングができるようにプレゼンスを変更させる。以降加入された当該有無線電話に呼を受信できる。
【００７２】
第６方法は、専用ＩＰフォンを通して、プレゼンスを変更する方法で、プレゼンスを設定できるＩＰフォンの‘呼ルーティング’機能の駆動をユーザーが選択して、プレゼンスを変更する方法である。
【００７３】
具体的には、まず、ユーザーが専用ＩＰフォンで‘呼ルーティング’機能を設定すると、ＩＰフォンがプレゼンスサーバー４０に有無線電話に呼ルーティングができるようにプレゼンス変更要請をして、以降加入された有無線電話に呼を受信できる。
【００７４】
第７方法は、呼ルーティング機能を内蔵した専用移動端末機を利用して、プレゼンスを変更する方法である。
【００７５】
具体的には、ユーザーが呼ルーティング機能を内蔵した移動端末機を利用して、プレゼンスを設定すれば、交換機が当該設定に応じたプレゼンス変更をホーム位置登録器３０に要請して、ホーム位置登録器３０はプレゼンスサーバー４０との交信を通して、プレゼンスを確認した後、条件に合う場合、所望の装置で呼ルーティングができるようにプレゼンスを変更させる。以降所望の装置で呼を受信できる。
【００７６】
第８方法は、ウェブ（Ｗｅｂ）を通して、プレゼンスを変更する方法である。
具体的には、ユーザーがプレゼンス変更機能を提供するウェブに接続して、認証過程を完了した後、プレゼンス変更を通して受信方法を決定するとウェブシステムは交換機に当該設定を要請して、交換機は当該設定に応じたプレゼンス変更をホーム位置登録器３０に要請しながら、ホーム位置登録器３０はプレゼンスサーバー４０との交信を通して、プレゼンスを確認した後、条件に合う場合、加入された有無線電話に呼ルーティングができるようにプレゼンスを変更させる。以降加入された当該有無線電話に呼を受信できる。
【００７７】
一方、前記では無線網に基づいて説明したが、本願発明の技術的範囲はここに限定されず、有線網、有線知能網、次世代網（ＮＧＮ：Ｎｅｘｔ  Ｇｅｎｅｒａｔｉｏｎ  Ｎｅｔｗｏｒｋ）等にも適用されることは、前記説明を参照する場合、当業者によって、簡単に分かることである。
【００７８】
図９は、本発明の他の実施例によるプレゼンス基盤の有線知能網システムのブロック図である。
図９に示したように、本発明の他の実施例によるプレゼンス基盤の有線知能網システムは、ＩＴＵ-Ｔによって定義された標準通信規約のＳＳ７（Ｃｏｍｍｏｎ  Ｃｈａｎｎｅｌ  Ｓｉｇｎａｌｉｎｇ  Ｓｙｓｔｅｍ  Ｎｏ．７）プロトコルに基づいて、ＳＳＰ（Ｓｅｒｖｉｃｅ  Ｓｗｉｔｃｈｉｎｇ  Ｐｏｉｎｔ）１２０、１２１、１２２、ＳＴＰ（Ｓｉｇｎａｌ  Ｔｒａｎｓｆｅｒ  Ｐｏｉｎｔ）１４０、１４１、１４２、１４３、ＳＣＰ（Ｓｅｒｖｉｃｅ  Ｃｏｎｔｒｏｌ  Ｐｏｉｎｔ）１５０、プレゼンスサーバー１６０及びＶｏＩＰゲートウェー１７０を含む。
【００７９】
ＳＳＰ１２０、１２１は互いに間に信号メッセージを伝送して、接続された有線端末機１１０、１１２に対する知能網サービスを提供する。この時、ＳＳＰ１２０は，ＰＢＸ（Ｐｒｉｖａｔｅ  Ｂｒａｎｃｅ  Ｅｘｃｈａｎｇｅ）１３０を通して、有線端末機１１１に接続されることができる。
【００８０】
ＳＴＰ１４０、１４１、１４２、１４３は、ＳＳＰ１２０、１２１やＳＳＰ１２２に接続されたＶｏＩＰゲートウェー１７０を通して、接続する有線端末機群に対してＳＳ７プロトコルに応じた信号伝達を行う。
【００８１】
ＳＣＰ１５０は、ＳＴＰ１４２に接続されて着信加入者情報、加入者別付加サービス情報及び着信端末機の位置情報などを保存管理する。このようなＳＣＰ１５０は前記無線網に基づいて説明した図１乃至図８でプレゼンス基盤の電話連結のためのＨＬＲ３０の機能と同じ機能を有する。つまり、加入者が管理されているＳＳＰの位置と加入者情報を加入者のプレゼンス情報に基づいてＶｏＩＰ端末機１８０を通したＶｏＩＰを使用中である場合と、そうでない場合を区分する情報をＳＳＰ１２０、１２１に伝達して、ＶｏＩＰを使用中の場合には、着信呼がＶｏＩＰ端末機１８０に連結されるようになる。この時、ＳＣＰ１５０はプレゼンスサーバー１６０に保存された加入者別プレゼンス情報を使ってＶｏＩＰ使用の要否を判断する。
【００８２】
一方、プレゼンスサーバー１６０及びＶｏＩＰゲートウェー１７０の各機能は、無線網に基づいて説明された前記図１乃至図８での機能と略同一であるため、ここでは説明を省略する。
【００８３】
前記のような構造及び機能を有するプレゼンス基盤の有線知能網システムにおける呼ルーティング方法は、無線網を基づいて説明された前記図１乃至図８でＨＬＲ３０、ＭＳＣ２０、２１、２２、プレゼンスサーバー４０、ＶｏＩＰゲートウェー５０等の間の技術構成及び作動原理がＳＳＰ１２０、１２１、１２２、ＳＣＰ１５０、プレゼンスサーバー１６０、ＶｏＩＰゲートウェー１７０等の間の技術構成及び作動原理と類似し、前記図１乃至図８を参照する場合、当業者によって、簡単に理解されるため、詳細な説明を省略する。
【００８４】
以上、本発明の望ましい実施例について詳細に説明したが、本発明はこれに限定されることなく、その他の多様な変更や変形が可能である。
例えば、前記では移動端末機とＶｏＩＰ端末機の間のプレゼンス変更、特に優先順位装置情報変更によって、移動端末機ユーザーが自分の移動端末機電話番号に宛てられた電話をＶｏＩＰ端末機を使って受けることができるものとだけ説明したが、本発明の技術的範囲はここに限定されずに、有線電話とＶｏＩＰ端末機の間のプレゼンス変更、特に優先順位装置情報変更によって、有線電話機ユーザーが自分の有線電話番号に宛てられた電話をＶｏＩＰ端末機を使って受けられることは、前記で図面を参照して説明した内容を参照すると、本発明の技術分野の当業者によって簡単に分かる。
【００８５】
本発明によると、インターネットに連結された自分のＶｏＩＰ端末機を使って、空間の制約を受けずに自由に既に自分が加入済みの有無線電話番号に宛てられた電話を受けることができる。
【００８６】
また、固定電話サービスまたは移動電話サービスに加入する時に、高い電話機を購入しなくても、インターネットに連結されたＶｏＩＰ端末機だけあれば別途の通信機器なしに同じく有無線電話サービスを利用することができる。
【００８７】
また、ユーザーが受信する電話がインターネットを通して伝えられることによって、既存の有線網または移動通信網を利用して伝えられる時より通信事業者間の網接続料が安くなる。従って、ユーザーの電話通話料が減免される。
【図面の簡単な説明】
【００８８】
【図１】本発明の実施例によるプレゼンス基盤の電話システムのブロック図である。
【図２】本発明の実施例によるプレゼンス基盤の電話システムにおいて、移動端末機（Ｍ１）からの発信呼をＶｏＩＰ端末機（Ｖ１）に連結する過程を概略的に示した図である。
【図３】本発明の実施例によるプレゼンス基盤の電話システムにおいて、ＶｏＩＰ端末機（Ｖ１）からの発信呼を移動端末機（Ｍ１）に連結する過程を概略的に示した図である。
【図４】本発明の実施例によるプレゼンス基盤の電話システムにおいて、移動端末機（Ｍ１）からの発信呼を移動端末機（Ｍ２）に連結する過程を概略的に示した図である。
【図５】本発明の実施例によるプレゼンス基盤の電話システムにおいて、ＶｏＩＰ端末機（Ｖ１）からの発信呼をＶｏＩＰ端末機（Ｖ２）に連結する過程を概略的に示した図である。
【図６】本発明の実施例によるプレゼンス基盤の電話システムにおける、プレゼンス登録及び更新過程を概略的に示した図である。
【図７】本発明の実施例によるプレゼンス基盤の電話システムにおいて、プレゼンスにより呼をフォワーディングする過程を概略的に示した図である。
【図８】本発明の実施例によるプレゼンス基盤の電話システムにおける、プレゼンス登録解除過程を概略的に示した図である。
【図９】本発明の他の実施例によるプレゼンス基盤の有線知能網システムのブロック図である。
【符号の説明】
【００８９】
Ｍ１、Ｍ２      移動端末機
１０、１１      基地局装置
１０-１、１０-２      基地局
１０-３      基地局制御器
２０、２１、２２      交換機
３０      ホーム位置登録器
４０      プレゼンスサーバー
５０      ＶｏＩＰゲートウェー（ＧＷ）
【図１】
2007520152.tif 000003
【図２】
2007520152.tif 000004
【図３】
2007520152.tif 000005
【図４】
2007520152.tif 000006
【図５】
2007520152.tif 000007
【図６】
2007520152.tif 000008
【図７】
2007520152.tif 000009
【図８】
2007520152.tif 000010
【図９】
2007520152.tif 000011
【国際調査報告】
2007520152.tif 000012
2007520152.tif 000013